(57)【要約】【課題】  遊技機の遠方からでも遊技機の機種を特定できるとともに、機種の宣伝効果を高めることができる遊技媒体貯留箱用シールを提供すること。【解決手段】  遊技場に設置される遊技機２の遊技に使用される遊技媒体を貯留可能な遊技媒体貯留箱８の側面８ａに貼着して使用する遊技媒体貯留箱用シール７であって、その表面には、遊技機２に使用されている機種固有のキャラクタが描かれているとともに、該遊技媒体貯留箱用シール７の表面または裏面のいずれか一方には、前記側面に対し剥離可能な貼着部が設けられている。【選択図】  図１
0003114548.tif 000002
【実用新案登録請求の範囲】
【請求項１】
遊技場に設置される遊技機の遊技に使用される遊技媒体を貯留可能な遊技媒体貯留箱の側面に貼着して使用する遊技媒体貯留箱用シールであって、
前記遊技媒体貯留箱用シールの表面には、前記遊技機に使用されている機種固有のキャラクタが描かれているとともに、該遊技媒体貯留箱用シールの表面または裏面のいずれか一方には、前記側面に対し剥離可能な貼着部が設けられていることを特徴とする遊技媒体貯留箱用シール。
【請求項２】
前記遊技媒体貯留箱用シールに描かれるキャラクタは、前記遊技機に使用されている複数種類のキャラクタのうちから選択された１種のキャラクタのみである請求項１に記載の遊技媒体貯留箱用シール。
【請求項３】
前記キャラクタは、前記遊技機に備えられる可変表示装置において変動表示される複数種類の図柄である請求項１または２に記載の遊技媒体貯留箱用シール。
【請求項４】
前記遊技媒体貯留箱用シールの表面には、１つのキャラクタを上下方向に複数分割したうちの１部分のみが描かれている請求項１〜３のいずれかに記載の遊技媒体貯留箱用シール。
【考案の詳細な説明】
【技術分野】
【０００１】  本考案は、パチンコ店やゲームセンター等の遊技場に設置されたパチンコ機やスロットマシン等の遊技機の遊技に使用されるパチンコ球やメダル等を貯留可能な遊技媒体貯留箱に貼着する遊技媒体貯留箱用シールに関する。
【背景技術】
【０００２】  従来、パチンコ店等の遊技場には、各種メーカーから提供される様々な機種の遊技機がいわゆる遊技島と呼ばれる設置島台に複数列設されるのが一般的であるが、店舗内スペースが比較的広い遊技場の場合、遊技客にとっては、遊技を所望する遊技機がどこに設置されているのを、遠方からでは特定しにくいといった問題があった。また、遊技店側にとっては、例えば入れ替えにより導入された新台や、イベント台として推薦する遊技機が設置されている旨を効果的に宣伝したいという要望があった。
【考案の開示】
【考案が解決しようとする課題】
【０００３】  ところで、遊技客に対して遊技機から払い出されたパチンコ球やメダル等は、いわゆる球箱に貯留され、特に多量のパチンコ球やメダルが付与された場合には、一般的に遊技客が遊技を行っている間は該遊技客の後方に積み重ねておくことが多い。これは、遊技客にとっては優越感が得られるとともに、遊技場側にとっては、出玉感を効果的に演出することができるといったメリットがあるが、単に出玉感を演出するものに過ぎなかった。【０００４】  本考案は、このような問題点に着目してなされたもので、遊技機の遠方からでも遊技機の機種を特定できるとともに、機種の宣伝効果を高めることができる遊技媒体貯留箱用シールを提供することを目的とする。
【課題を解決するための手段】
【０００５】  上記課題を解決するために、本考案の請求項１に記載の遊技媒体貯留箱用シールは、
遊技場に設置される遊技機の遊技に使用される遊技媒体を貯留可能な遊技媒体貯留箱の側面に貼着して使用する遊技媒体貯留箱用シールであって、
前記遊技媒体貯留箱用シールの表面には、前記遊技機に使用されている機種固有のキャラクタが描かれているとともに、該遊技媒体貯留箱用シールの表面または裏面のいずれか一方には、前記側面に対し剥離可能な貼着部が設けられていることを特徴としている。
この特徴によれば、遊技媒体貯留箱の側面に貼着することで、遊技媒体貯留箱の側面スペースを遊技機の宣伝スペースとして効果的に利用することができるとともに、遊技客は遊技機に近づかなくても、遊技媒体貯留箱の側面に描かれたキャラクタから設置されている遊技機の機種を遊技機の遠方から特定することができる。また、シールは簡単に剥離することができるため、シールが汚れたり、機種変更等に応じてキャラクタを変更する場合にも容易に対処することができる。
なお、前記遊技媒体はパチンコ球等の弾球やメダル等を含む。【０００６】  本考案の請求項２に記載の遊技媒体貯留箱用シールは、請求項１に記載の遊技媒体貯留箱用シールであって、
前記遊技媒体貯留箱用シールに描かれるキャラクタは、前記遊技機に使用されている複数種類のキャラクタのうちから選択された１種のキャラクタのみであることを特徴としている。
この特徴によれば、遊技媒体貯留箱１つ１つにそれぞれ別のキャラクタが描かれたシールを貼着することができるため、宣伝効果が高まる。【０００７】  本考案の請求項３に記載の遊技媒体貯留箱用シールは、請求項１または２に記載の遊技媒体貯留箱用シールであって、
前記キャラクタは、前記遊技機に備えられる可変表示装置において変動表示される複数種類の図柄であることを特徴としている。
この特徴によれば、設置されている遊技機の機種を遊技客がより特定しやすくなる。【０００８】  本考案の請求項４に記載の遊技媒体貯留箱用シールは、請求項１〜３のいずれかに記載の遊技媒体貯留箱用シールであって、
前記遊技媒体貯留箱用シールの表面には、１つのキャラクタを上下方向に複数分割したうちの１部分のみが描かれていることを特徴としている。
この特徴によれば、遊技媒体貯留箱を複数段積み重ねたときに、各遊技媒体貯留箱の側面に貼着されたシールにて１つの大きなキャラクタが形成されるため、１つのキャラクタを、複数の遊技媒体貯留箱の側面にて形成される広スペースを利用してキャラクタを効果的に演出することができる。【０００９】  本考案の遊技媒体貯留箱用シールは、請求項１〜４のいずれかに記載の遊技媒体貯留箱用シールであって、
前記遊技媒体貯留箱用シールは、非透光性のフィルムまたはシートからなることを特徴としている。
この特徴によれば、遊技媒体貯留箱の側面に貼着した際に、その表面に描かれたキャラクタの背景が遊技媒体となって当該キャラクタが見にくくなることがない。
【考案を実施するための最良の形態】
【００１０】  本考案の実施例を以下に説明する。
【実施例】
【００１１】  本考案の実施例を図面に基づいて説明する。図１は本考案の実施例としてのシールが適用されている遊技場内を示す斜視図であり、図２は図１のシールを示す正面図であり、図３はシールが球箱に貼着されている状態を示す斜視図であり、図４はシールが貼着されたシールを積み重ねた状態を示す側面図であり、図５は本考案の変形例としてのシールが貼着された球箱を示す側面図である。【００１２】  図１には、本考案の遊技媒体貯留箱用シールが適用された遊技場内の一部が示されている。本実施例における遊技場内には、遊技機の一例であるパチンコ機２が複数設置された遊技島１が複数（図１中には１島のみ）配設されているとともに、各遊技島１に複数設置された各パチンコ機２に対応して椅子３が配設されており、各椅子３の背凭れ４には、外面にパチンコ機２に使用されているキャラクタが印刷された背凭れカバー５が装着されている。【００１３】  本実施例におけるパチンコ機２は、複数種類の図柄を変動表示させることが可能な可変表示装置６を備えており、各可変表示装置６による変動表示結果として、例えば７７７等の予め定められた当たり図柄の組合せが入賞ライン上に揃うと、遊技客に対して遊技媒体の一例であるパチンコ球が所定量払い出されるようになっている。また、遊技客に対して払い出されたパチンコ球は、図１に示されるように、各パチンコ機２に対応して配置される遊技媒体貯留箱としての球箱８内に貯留できるようになっている。なお、球箱８の長辺部側の外側面８ａには、可変表示装置６にて変動表示される複数種類の図柄のうちの１種の図柄であるキャラクタＣが印刷された本考案のシール７が貼着されている。【００１４】  本実施例におけるシール７は、図２及び図３に示されるように、塩化ビニル製の横長帯状のフィルム材（シート材でもよい）からなり、球箱８における長辺部側の外側面８ａに貼着可能な大きさを有している。【００１５】  シール７の表面７ａは、白色に着色されているとともに、当該シール７を貼着する球箱８を使用するパチンコ機２の可変表示装置６にて変動表示される複数種類の図柄のうちの１種の図柄（図２中に示される図柄は配列番号７番の図柄）であるキャラクタＣが、長手方向に向けて所定間隔おきに印刷されているとともに、印刷層のさらに表面には、ポリプロピレン樹脂材によりコーティングが施されており、キャラクタＣの光沢感を演出するとともに、印刷面である表面７ａへの汚れの付着が防止されている。【００１６】  なお、本実施例におけるシール７は、表面７ａが白色に印刷されることにより非透光性とされているため、図４に示されるように、球箱８の内部に遊技媒体の一例であるパチンコ球が貯留された場合でも、シール７を通して内部のパチンコ球が外側から見えないようになっているため、パチンコ球が背景となって表面７ａに印刷されたキャラクタＣが分かりにくくなることがない。【００１７】  なお、本実施例のシール７は、表面が着色されることにより非透光性を有していたが、非透光性のフィルム材を使用してもよい。【００１８】  シール７の裏面７ｂ（図３参照）は、球箱８の外側面８ａに貼着するための強粘着材が塗布されて粘着層（粘着部）が形成されており、図３に示される��うに外側面８ａに簡単に貼着することができるようになっている。【００１９】  また、本実施例におけるシール７は、前述したように塩化ビニル製からなるため、例えば、一度外側面８ａに貼着したシール７が長期の使用により劣化したり、あるいはパチンコ機２の機種変更等に伴い、パチンコ機２に対応するキャラクタＣを変更したい場合等において、図３に示されるように外側面８ａから簡単に剥離することができるとともに、剥離の際にシール７を形成するフィルム材が剥離途中で破れにくいため、新規のシール７に簡単に交換することができる。【００２０】  また、例えば図３中２点鎖線で示されるように、球箱８における短辺部側の外側面８ｂにも、パチンコ機２に使用されるキャラクタＣが描かれたシール７’を貼着することも可能である。【００２１】  このように球箱８の外側面８ａに、表面にキャラクタＣが印刷されたシール７を貼着することにより、例えばこの球箱８を、図４に示されるように遊技客の椅子３の近傍に上下方向に複数段積み重ねたときに、各球箱８の外側面８ａに貼着されたシール７の表面７ａに印刷されたキャラクタＣが上下方向に配置されることになる。【００２２】  従って、図１に示されるように、椅子３の背面側の通路近傍に球箱８が複数段積み重ねられることで、遊技客はパチンコ機２に近づいて覗かなくても、積み重ねられた球箱８の外側面８ａに貼着されたシール７の表面７ａに印刷されたキャラクタＣを遠方から視認することで、そこに設置されているパチンコ機２の機種をキャラクタＣにて特定することができるため、球箱８の側面スペースを、パチンコ機２の宣伝スペースとして効果的に利用することができる。【００２３】  さらに、球箱８の長辺部側の外側面８ａにシール７を貼着することで、短辺部側の外側面８ｂに貼着した場合よりも広いスペースにて宣伝することができるばかりか、特に長辺部側には、短辺部側に形成される取手Ｔ等がないため、床面に積み重ねられた球箱８を上方から見下ろす場合でも、遊技客の目線が取手Ｔ等により妨げられることなく、シール７の表面７ａに印刷されたキャラクタＣを視認することができる。【００２４】  また、図４に示されるように、シール７に印刷されるキャラクタＣを、パチンコ機２に使用されている複数種類のキャラクタＣのうちから選択された１種のキャラクタのみとすることで、球箱８の１つ１つにそれぞれ別のキャラクタＣが描かれたシール７を貼着することができ、これにより各球箱８に識別性を持たせることができるため、例えば遊技客に応じてキャラクタＣの種類を使い分けるなど、使用性が向上する。【００２５】  また、キャラクタＣを、対応するパチンコ機２に備えられる可変表示装置６において変動表示される複数種類の図柄とすることで、設置されているパチンコ機２の機種を遊技客がより特定しやすくなる。さらに、このようなシール７に印刷された図柄の図柄番号を利用し使用すれば、図４に示されるように、下方から１箱目、２箱目……といったような出玉感を演出することも可能である。【００２６】  図５には、シール７の変形例が示されている。図５に示される上下のシール７’’には、ある種の１つのキャラクタを上下方向に複数分割（ここでは２分割）したうちの���部分の部分キャラクタＣ１、Ｃ２がそれぞれ印刷されており、上下の球箱８に貼着するシール７’’、７’’をそれぞれ上下に近接配置したときに、２つの部分キャラクタＣ１、Ｃ２により１つのキャラクタができるようになっている。【００２７】  このようにすることで、例えば図５に示されるように球箱８を複数段（ここでは２段）積み重ねたときに、上下の球箱８の外側面８ａに貼着されたシール７’’、７’’それぞれに印刷された部分キャラクタＣ１、Ｃ２にて１つの大きなインパクトがあるキャラクタが形成されるため、１つのキャラクタを、複数の球箱８の外側面８ａにて形成される広いスペースを利用して、機種の宣伝を効果的に行うことができる。【００２８】  なお、ここでは１つのキャラクタを上下に２分割した例が示されているが、言うまでもなく、２以上に分割し、複数の部分キャラクタにて１つのキャラクタが形成されるようにしてもよい。【００２９】  以上、本考案の実施例を図面により説明してきたが、具体的な構成はこれら実施例に限られるものではなく、本考案の要旨を逸脱しない範囲における変更や追加があっても本考案に含まれる。【００３０】  例えば、前記実施例におけるシール７の表面７ａには、対応するパチンコ機２に使用されているキャラクタとしての図柄が印刷されているが、例えば可変表示装置６の表示画面上にて変動表示される図柄以外のキャラクタや、可変表示装置６の表示画面上に表示されないが機種固有のものとして使用されるキャラクタ等を印刷してもよいし、あるいは遊技場のイベントや宣伝用等の絵柄や、装飾用の絵柄等を印刷してもよい。【００３１】  また、前記実施例におけるシール７は、球箱８の外側面８ａや外側面８ｂに貼着して使用するようになっていたが、例えばシール７の表面７ａにキャラクタＣを印刷するとともに、該キャラクタＣの印刷層の表面側に透明な粘着層（粘着部）を形成し、球箱８の内側面に表面７ａを貼着し、球箱８の側板を通して外側からキャラクタＣを視認できるようにしてもよい。つまり、シール７は球箱８の側面に貼着され、該シール７に印刷されたキャラクタＣが球箱８の側方から視認できるようになっていれば、シール７は球箱８の側板の外面または内面のいずれに貼着してもよい。【００３２】  また、実施例におけるシール７は、非透光性とされていたが、透光性のフィルム材やシート材にて構成してもよい。さらに、表面７ａのみならず、裏面７ｂ側にキャラクタＣを印刷してもよい。
【図面の簡単な説明】
【００３３】
【図１】本考案の実施例としてのシールが適用されている遊技場内を示す斜視図である。
【図２】図１のシールを示す正面図である。
【図３】シールが球箱に貼着されている状態を示す斜視図である。
【図４】シールが貼着されたシールを積み重ねた状態を示す側面図である。
【図５】本考案の変形例としてのシールが貼着された球箱を示す側面図である。
【符号の説明】
【００３４】１                  遊技島
２                  パチンコ機（遊技機）
３                  椅子
４                  背凭れ
５                  背凭れカバー
６                  可変表示装置
７、７’、７’’    シール（遊技媒体貯留箱用シール）
７ａ                表面
７ｂ                裏面
８                  球箱（遊技媒体貯留箱）
８ａ、８ｂ          外側面
【図１】
0003114548.tif 000003
【図２】
0003114548.tif 000004
【図３】
0003114548.tif 000005
【図４】
0003114548.tif 000006
【図５】
0003114548.tif 000007